【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行なうことが可能であり、可変表示を行ない、遊技者にとって有利な有利状態に制御する遊技機であって、
可変表示に関する情報を保留記憶情報として記憶可能な保留記憶手段と、
前記保留記憶手段に記憶されている前記保留記憶情報に応じた保留表示を表示する保留表示手段と、
前記特定遊技状態に制御するか否かを決定する決定手段と、
前記決定手段による決定前に、前記特定遊技状態に制御されるか否かを判定する判定手段と、
前記判定手段による判定結果にもとづいて、保留表示を通常態様とは異なる表示態様に変化させて表示することにより前記特定遊技状態に制御される可能性を予告する予告演出を実行する予告演出実行手段と、
保留表示の表示態様が変化することを示唆する示唆演出を実行する示唆演出実行手段と、
遊技領域に設けられ前記遊技媒体が進入し易い第１状態と該第１状態よりも遊技媒体が進入しにくいまたは進入しない第２状態とに変化可能な可変入賞球装置と、
遊技状態を、通常遊技状態であるときに比べて前記特定遊技状態に制御し易い特別遊技状態に制御する遊技制御手段とを備え、
前記特定遊技状態は、前記可変入賞球装置が前記第１状態に制御されている期間が第１期間である第１特定遊技状態と、前記可変入賞球装置が前記第１状態に制御されている期間が前記第１期間よりも短い第２期間である第２特定遊技状態とを含み、
前記遊技制御手段は、前記第２特定遊技状態が終了したときに遊技状態を前記特別遊技状態に制御可能とし、
前記示唆演出実行手段は、前記保留表示手段によって表示されている保留表示のうちに前記通常態様とは異なる表示態様で表示されている保留表示があるか否かに応じて、異なる割合で示唆演出を実行し、
前記示唆演出は第1パターンと前記第1パターンと異なる第2パターンを備え、演出態様は途中まで同じまたは類似している、
ことを特徴とする遊技機。
【手続補正２】
【補正対象書類名】明細書
【補正対象項目名】０００５
【補正方法】変更
【補正の内容】
【０００５】
このような遊技機においては、更に遊技の興趣を向上させることのできる余地があった。
【手続補正３】
【補正対象書類名】明細書
【補正対象項目名】０００６
【補正方法】変更
【補正の内容】
【０００６】
この発明は、かかる事情に鑑み考え出されたものであり、その目的は、遊技の興趣を向上させることが可能な遊技機を提供することである。
【手続補正４】
【補正対象書類名】明細書
【補正対象項目名】０００７
【補正方法】変更
【補正の内容】
【０００７】
（手段Ａ）本発明による遊技機は、遊技媒体を用いて遊技を行なうことが可能であり、可変表示を行ない、遊技者にとって有利な有利状態に制御する遊技機であって、可変表示に関する情報を保留記憶情報として記憶可能な保留記憶手段と、前記保留記憶手段に記憶されている前記保留記憶情報に応じた保留表示を表示する保留表示手段と、前記特定遊技状態に制御するか否かを決定する決定手段と、前記決定手段による決定前に、前記特定遊技状態に制御されるか否かを判定する判定手段と、前記判定手段による判定結果にもとづいて、保留表示を通常態様とは異なる表示態様に変化させて表示することにより前記特定遊技状態に制御される可能性を予告する予告演出を実行する予告演出実行手段と、保留表示の表示態様が変化することを示唆する示唆演出を実行する示唆演出実行手段と、遊技領域に設けられ前記遊技媒体が進入し易い第１状態と該第１状態よりも遊技媒体が進入しにくいまたは進入しない第２状態とに変化可能な可変入賞球装置と、遊技状態を、通常遊技状態であるときに比べて前記特定遊技状態に制御し易い特別遊技状態に制御する遊技制御手段とを備え、前記特定遊技状態は、前記可変入賞球装置が前記第１状態に制御されている期間が第１期間である第１特定遊技状態と、前記可変入賞球装置が前記第１状態に制御されている期間が前記第１期間よりも短い第２期間である第２特定遊技状態とを含み、前記遊技制御手段は、前記第２特定遊技状態が終了したときに遊技状態を前記特別遊技状態に制御可能とし、前記示唆演出実行手段は、前記保留表示手段によって表示されている保留表示のうちに前記通常態様とは異なる表示態様で表示されている保留表示があるか否かに応じて、異なる割合で示唆演出を実行し、前記示唆演出は第1パターンと前記第1パターンと異なる第2パターンを備え、演出態様は途中まで同じまたは類似している、ことを特徴とする遊技機。
（１）（手段１）本発明による他の遊技機は、遊技媒体（たとえば、遊技球）を用いて遊技を行なうことが可能であり、可変表示を行ない、遊技者にとって有利な特定遊技状態（たとえば、大入賞口の開放制御状態）に制御する遊技機（たとえば、パチンコ遊技機１）であって、可変表示に関する情報を保留記憶情報として記憶可能な保留記憶手段と、前記保留記憶手段に記憶されている前記保留記憶情報に応じた保留表示を表示する保留表示手段と、前記特定遊技状態に制御するか否かを決定する決定手段と、前記決定手段による決定前に、前記特定遊技状態に制御されるか否かを判定する判定手段と、前記判定手段による判定結果にもとづいて、保留表示を通常態様とは異なる表示態様に変化させて表示することにより前記特定遊技状態に制御される可能性を予告する予告演出を実行する予告演出実行手段と、保留表示の表示態様が変化することを示唆する示唆演出を実行する示唆演出実行手段と、遊技領域（たとえば、遊技領域７）に設けられ前記遊技媒体が進入し易い第１状態（たとえば、開状態）と該第１状態よりも遊技媒体が進入しにくいまたは進入しない第２状態（たとえば、閉状態）とに変化可能な可変入賞球装置（たとえば、第１特別可変入賞球装置２０ａ，第２特別可変入賞球装置２０ｂ）と、遊技状態を、通常遊技状態であるときに比べて前記特定遊技状態に制御し易い特別遊技状態に制御する遊技制御手段（たとえば、遊技制御用マイクロコンピュータ５６０、図３１の大当り終了処理において、通常大当りのときはステップＳ１６７で時短フラグをセットし、確変大当りまたは突確大当りのときはステップＳ１７０，ステップＳ１７１で確変フラグおよび時短フラグをセットする。図３４の小当り終了処理においては確変フラグおよび時短フラグとも変化させない。）とを備え、前記特定遊技状態は、前記可変入賞球装置が前記第１状態に制御されている期間が第１期間（たとえば、２９秒）である第１特定遊技状態（たとえば、１５ラウンド通常大当り遊技状態の開放制御状態、１５ラウンド確変大当り遊技状態の開放制御状態）と、前記可変入賞球装置が前記第１状態に制御されている期間が前記第１期間よりも短い第２期間（たとえば、０．１秒）である第２特定遊技状態（たとえば、突確大当り遊技状態の開放制御状態）とを含み、前記遊技制御手段は、前記第２特定遊技状態が終了したときに遊技状態を前記特別遊技状態に制御し（たとえば、図３１のステップＳ１７０，ステップＳ１７１で確変フラグおよび時短フラグをセットする。）、前記可変入賞球装置が前記第１状態に制御されている期間が前記第２期間であり、終了した後には遊技状態を変化させない特殊遊技状態（たとえば、小当り遊技状態の開放制御状態）に制御することが可能であり（たとえば、図３４の小当り終了処理においては確変フラグおよび時短フラグとも変化させない。）、前記特殊遊技状態に制御されているときに特殊遊技状態信号（たとえば、大当り信号。図６３参照）を前記遊技機の外部に出力する外部出力手段（たとえば、遊技制御用マイクロコンピュータ５６０、図３９のステップＳ１０６３）とをさらに備え、前記外部出力手段は、前記可変入賞球装置が前記第１状態から前記第２状態に変化してから特定期間（たとえば、小当りである場合、低ベース状態では１２．３秒、高ベース状態では１．１秒。図６３参照）、継続して前記特殊遊技状態信号を出力し、遊技者にとって有利な遊技状態（たとえば、高ベース状態、確変状態、時短状態）から前記特殊遊技状態に制御されたときと、前記有利な遊技状態よりも不利な遊技状態（たとえば、低ベース状態、非確変状態、非時短状態）から前記特殊遊技状態に制御されたときとで、前記特定期間が異なり（たとえば、小当りである場合、低ベース状態では１２．３秒、高ベース状態では１．１秒）、前記遊技領域に設けられる特定領域（たとえば、役連作動ゲート３３）をさらに備え、前記特定領域に遊技媒体が進入したことに基づいて、前記第２特定遊技状態に制御される（たとえば、図２６のステップＳ１３９で初回大入賞口開放前処理に移行する場合は、図２７のステップＳ３９１で役連作動ゲート３３に入賞したと判断されることでステップＳ３９６で大入賞口の開放が開始される。）一方、前記特定領域に遊技媒体が進入したことには基づかず、前記特殊遊技状態に制御され（たとえば、図２６のステップＳ１５１で小当り開放前処理に移行する場合は、役連作動ゲート３３に入賞したか否か判断されること無く、図３２のステップＳ２４６７で大入賞口の開放が開始される。）、前記示唆演出実行手段は、前記保留表示手段によって表示されている保留表示のうちに前記通常態様とは異なる表示態様で表示されている保留表示があるか否かに応じて、異なる割合で示唆演出を実行する。